【事件の表示】
　特許第３３２３９６６号「皮膚から不潔な物を除去する除去方法」の請求項１ないし４に係る特許に対する特許異議の申立てについて、次のとおり決定する。
【結　論】
　訂正を認める。
　特許第３３２３９６６号の請求項１ないし４に係る特許を取り消す。
【理　由】
〔１〕手続の経緯
　特許第3323966号の請求項１〜４に係る発明についての出願は、昭和63年９月27日に出願した特願平63−239890号の一部を平成10年12月22日に新たな特許出願としたものであって、平成14年７月５日にその発明について特許権の設定登録がされ、その後、その特許について、異議申立人・山口七江により特許異議の申立てがされ、取消の理由が通知され、その指定期間内である平成16年10月18日に訂正請求がされたものである。
　
〔２〕訂正の適否についての判断
(1)訂正の内容
　ア．訂正事項a
　特許請求の範囲の請求項１の「【請求項１】水和性のゲル(4)から成る薄いフィルム用の補強を構成するたわみ性の網(3)であって、この網にくっつけた前記ゲル(4)の平均厚さを５ないし1000μmにした網(3)から成るシート材料によって皮膚から不潔な物を除去する方法において、
（イ）前記シート材料を、湿らせた皮膚上に乾燥した状態で又は皮膚上に湿らせた状態で、処理しようとする皮膚領域に当てがい前記ゲルを水和する段階と、
（ロ）前記水和性のゲルと前記皮膚領域との間に接着部を形成するように、前記水和性のゲルを乾燥させ、前記皮膚領域に接着させるのに充分な時間にわたって、前記シート材料を前記皮膚領域上に維持する段階と、
（ハ）前記シート材料を引き離し、このシート材料の除去のときに、前記不潔な物を前記皮膚領域から除去する段階と、
を包含する除去方法。」を、
「【請求項１】水和性の
重合体
貫通する目孔を配置した網状構造で作られ、
の前記貫通する目孔内に乾燥状態で捕捉された前記重合体
（イ）前記シート材料を、湿らせた皮膚上に乾燥した状態で又は皮膚上に湿らせた状態で、処理しようとする皮膚領域に当てがい前記
重合体
（ロ）前記水和性の
重合体
重合体
（ハ）前記シート材料を
全部を一体に
除去し
を包含する除去方法。」と訂正する。
　イ．訂正事項b
　特許請求の範囲の請求項４の「【請求項４】水和性のゲル(4)から成る薄いフィルム用の補強を構成するたわみ性の網(3)であって、この網にくっつけた前記ゲル(4)の平均厚さを５ないし1000μmにした網(3)から成るシート材料を使用して皮膚から不潔な物を除去することにより、皮膚の孔の清掃を行なうシート材料の使用法において、
（イ）前記シート材料を、湿らせた皮膚上に乾燥した状態で又は皮膚上に湿らせた状態で、処理しようとする皮膚領域に当てがい前記ゲルを水和する段階と、
（ロ）前記水和性のゲルと前記皮膚領域との間に接着部を形成するように、前記水和性のゲルを乾燥させ、前記皮膚領域に接着させるのに充分な時間にわたって、前記シート材料を前記皮膚領域上に維持する段階と、
（ハ）前記シート材料を引き離し、このシート材料の除去のときに、前記不潔な物を前記皮膚領域から除去する段階と、
を包含するシート材料の使用法。」を、
「【請求項４】水和性の
重合体
貫通する目孔を配置した網状構造で作られ、
の前記貫通する目孔内に乾燥状態で捕捉された前記重合体
（イ）前記シート材料を、湿らせた皮膚上に乾燥した状態で又は皮膚上に湿らせた状態で、処理しようとする皮膚領域に当てがい前記
重合体
（ロ）前記水和性の
重合体
重合体
（ハ）前記シート材料を
全部を一体に
除去し
を包含するシート材料の使用法。」と訂正する。
　ウ．訂正事項c
　発明の詳細な説明の段落【0043】の「この場合たとえば栓を設けたびんによって適宜に迅速な給湿ができる、水溶液又は水和アルコール溶液を使って皮膚に施されるゲルの表面は、乾燥ゲル中に含まれる活物質に対し相溶性を持たない活物質を含ませる。」を、
「
この場合たとえば栓を設けたびんを使用して、乾燥ゲル中に含まれる活性物質に対し相溶性を持たない活性物質を含む水溶液又は水和アルコール溶液によって、皮膚に施されるゲルの表面の適宜に迅速な供湿ができる。
　
(2)訂正の目的の適否、新規事項の有無及び拡張・変更の存否
　上記訂正事項aにおいて、上記「
重合体
貫通する目孔を配置した網状構造で作られ、
の前記貫通する目孔内に乾燥状態で捕捉された
　上記訂正事項aにおいて、「
全部を一体に
除去し
　上記訂正事項bは、請求項４における上記訂正事項aと同一部分を同一事項で限定することであるから、特許請求の範囲の減縮を目的とする訂正であり、新規事項の追加に該当しない。
　上記訂正事項cは、記載の対応関係を明りょうにするためのものであるから、明りょうでない記載の釈明を目的とするものであり、かつ、特許明細書の段落【0007】、【0012】、【0024】、【0027】、【0039】に記載されていいたものであるから、新規事項の追加に該当しない。
　そして、上記いずれの訂正も、実質上特許請求の範囲を拡張し、又は変更するものでもない。
　
(3)むすび
　以上のとおりであるから、上記訂正は、特許法等の一部を改正する法律（平成６年法律第116号）附則第６条第１項の規定によりなお従前の例によるとされる、特許法第120条の４第３項において準用する平成６年法律第116号による改正前の特許法第126条第１項ただし書及び第２項の規定に適合するので、当該訂正を認める。
　
〔３〕特許異議の申立てについての判断
(1)本件発明
　上記〔２〕で示したように上記訂正が認められるから、本件の請求項１〜４に係る発明（以下、「本件発明１〜４」という。）は、上記訂正に係る訂正明細書の特許請求の範囲の請求項１〜４に記載されたとおりのものである。
【請求項１】（上記〔２〕(1)ア．訂正事項a参照。）
【請求項２】前記シート材料を、乾燥した状態で湿らせた皮膚にあてがう請求項１の除去方法。
【請求項３】前記シート材料を、5minないし10minの範囲の時間にわたって皮膚にあてがう請求項１または２の方法。
【請求項４】（上記〔２〕(1)イ．訂正事項b参照。）
 
(2)引用刊行物に記載された発明
　ア．当審が通知した取消の理由で引用した刊行物１（特開昭60−165902号公報、異議申立人が提出した甲第１号証）には、美容パック材、その製法及び使用方法に関して、以下のとおりの事項が記載されている。　
（ア−１）「(1)一方の面に、皮膚に無害な糊料の乾燥した薄層或いは該糊料の微粉末の分散した薄層を設けた柔軟なフィルムであって、人体顔面の両目、鼻孔部及び口唇部に該当する相互配置より拡大された相互配置を保って穿孔を設け、これら穿孔が両目、鼻孔部及び口唇部のそれぞれの開口部又は裂部より大きい美容パック材。
(2)フィルムが、繊維を紙状に絡ましてなる薄い不織布の間隙に皮膚に無害な糊料の微粉末が分散している柔軟なフィルムである特許請求の範囲第１項に記載する美容パック材。
　　　・・・（中略）・・・
(6)一方の面に、皮膚に無害な糊料の乾燥した薄層或いは該糊料の微粉末の分散した薄層を設けた柔軟なフィルムを、濡らして顔面に、或いは濡らした顔面に、或いは有効な成分を塗布した顔面に密着させて一定時間放置した後、剥離する美容パック材の使用方法。」（特許請求の範囲の請求項１、２、６）
（ア−２）「従来から美容法として、肌にパック料を塗布する美容法が行われていた。このパック美容法は肌のたるみを引き締め、皮膚表面の汚れを吸着除去し、肌を滑らかにする皮膚調整用の基礎化粧料であり、他のどの化粧料を使った場合と比較しても、パック料が皮膚を覆う層は緻密で、透過性が小さいのである。」（公報第２頁左上欄第14〜20行）
（ア−３）「糊料としては、わずかの水分により、粘着性を発現する皮膚に無害な親水性糊料があり、例えば、α化澱粉、ポリアクリル酸ソーダ、CMC、メチルセルローズ、ゼラチン、カゼイン、アラビアゴム等が挙げられる。又、やや粘性が不充分ではあるが、ポリ塩化ビニルやポリエチレンと親和性があり、非水溶媒に溶けるものとしてポリビニルビロリドン、ポリアクリル酸その他がある。このような糊料をフィルムの一方の面に塗布、噴霧、含浸或いは付着させて乾燥して得られる美容パック材を濡らして又は濡らした顔面に使用する。」（公報第３頁左下欄第11行〜右下欄第１行）
（ア−４）「上記のα化澱粉、ポリアクリル酸ソーダ、CMC等の糊料は粘性が高く、少量用いても、微量の水があれば充分な粘性を発現するので望ましい糊料であるが、通常使用されるプラスチックフィルムは一般に疏水性であるため、その水溶液を薄層として均一に付着させ難いので、ポリビニルビロリドンのように高価ではあるが、アルコールのような疏水性フィルムと親和性のある溶媒にも、水にも溶解する糊料の低濃度のアルコール溶液に上記高粘性の糊料を懸濁させ、これをプラスチックフィルムに塗布又は噴霧させれば、これら糊料の少量を確実に付着させることができる。或いは、各種繊維に少量の糊料をすきこみ、薄紙状とし、この薄紙をそのまま用いるか、或いはその一方の面にプラスチックの薄層を積層してもよい。」（公報第３頁右下欄第５〜20行）
（ア−５）「使用にあたっては、洗顔後の濡れた顔に、糊料の薄層の側を顔に向けて張りつける。プラスチックフィルムは薄く柔軟であり、しかも水分により糊料が潤滑性と粘性を発現しているため、フィルムを局部的に任意の位置にずらして密着させることができた。穿孔は現実の両目、鼻孔部、及び口唇部の相互配置より広いため、襞よせしながら現実の両目、鼻孔部、及び口唇の位置にずらすと、局部的に皺が生じて本発明の美容パック材全体の形状が、各個人の顔の鼻の隆起、頬の膨らみ、目や口の周囲の凹凸と一致する。又、皺の部分には糊料の粘性によりフィルム同士が接着した状態となる。このままの状態で入浴、その他の日常の作業が可能であり、一定時間放置後、フィルムを剥がすと容易にはがれ、洗顔によりパック後の爽快感が得られた。」（公報第４頁左上欄第15行〜右上欄第10行）
（ア−６）「本実施例においては、使用時湿潤したセロハン紙が寸法変動性と通水性を有するため、パック材を顔面に密着後糊料が乾燥し、それに伴う寸法収縮も加わって皮膚に緊張を与えた。乾燥しているため、剥がすにあたり多少の抵抗があった。」（公報第４頁右上欄第20行〜左下欄第４行）
　上記記載を総合すると、刊行物１は、次の発明（以下、「引用発明」という。）が記載されているものと認められる。
「繊維を紙状に絡ましてなる薄い不織布の間隙に分散された乾燥状態の澱粉等の親水性糊料から成るパック材によって皮膚表面の汚れを吸着除去する除去方法において、
（イ）乾燥したパック材を、濡らして顔面に、或いは濡らした顔面に密着させる段階と、
（ロ）前記澱粉等の親水性糊料等を皮膚表面に張りつけるように、前記澱粉等の糊料を乾燥させ、一定時間放置する段階と、
（ハ）前記パック材を剥がし、このパック材料を剥がすときに、汚れを皮膚表面から除去する段階と、
を包含する除去方法。」
　
　イ．同じく引用した刊行物２（特開昭58−216109号公報、異議申立人が提出した甲第２号証）には、乾燥性膜状化粧料及び積層膜状化粧料に関して、以下の事項が記載されている。
（イ−１）「皮膜形成能を有する水溶性高分子と水とを主剤とする基剤中に、アスコルビン酸類もしくは酵素から選択される薬用成分又は美肌成分のうち少なくとも一種あるいは二種以上を配合したペースト状組成物を保持体に薄膜を形成せしめるように均一塗布し、乾燥させてなる厚さ50μ〜200μの積層体とすることを特徴とする積層膜状化粧料。」（特許請求の範囲の請求項２）
（イ−２）「本発明に適用される水溶性高分子である賦形剤としては、デンプン類、マンナン、ガラクタン、アルギン酸ソーダ、デキストラン（α−1,6−グリコシド）、α−1,6−マルトトリオース、ゼラチン、カゼイン等に代表される天然水溶性高分子、メチルセルロース、エチルセルロース、ヒドロキシエチルセルロース、カルボキシメチルセルロース等に代表される半合成水溶性高分子、ポリビニルアルコール、ポリアクリル酸ソーダ、ポリエチレンオキサイドに代表される合成水溶性高分子があるが、賦形剤自身の水への低温での溶解性、基剤中でのアスコルビン酸類、酵素の分散安定性、賦形剤自体の安全性及び薄膜化時の皮膜形成能等を考慮してα−1,6−マルトトリオースが好適である。」（公報第２頁右上欄第６〜20行）
（イ−３）「同様にペースト状組成物を、紙、グラシン、ポリエチレン、ポリプロピレン、ポリエステル、アセチルセルロース等のいずれかを素材とする柔軟な保持体上に、ペーパーキャスト法、デイプコータ法、ロールコータ法、ナイフコーター法等に代表される塗布法により、均一塗布し約40℃以下で減圧下乾燥し、薄膜を形成させる。この時保持体の厚みとしては、柔軟性を維持させ、また膜強度を考慮して、50μ〜200μのものが好ましく、さらに塗布薄膜の厚みとしては10μ〜数十μが最適である。」（公報第２頁右下欄第19行〜第３頁左上欄第10行）
（イ−４）「また使用時においては、顔面等に、水または化粧水等を塗布後、前記膜状化粧料、または積層膜状化粧料を必要に応じて任意の形に分割し、顔面等に貼り付ける。」（公報第３頁左上欄第16〜19行）
　
　ウ．同じく引用した刊行物４（特開昭58−180408号公報、異議申立人の提出した甲第４号証）には、シート状パック剤に関して、以下の事項が記載されている。
（ウ−１）「このようなパック剤は使用時にチューブなどの容器から必要量だけを取り出して顔などに塗布し、乾燥後に洗顔もしくは乾燥フィルムを剥すという操作によって皮膚の汚れや角質を除去し、美肌成分を皮膚へ浸透させて美容効果を挙げようとするものである」（公報第１頁左下欄第19行〜右下欄第４行）
（ウ−２）「皮膚に対してよく密着し、しかも水が連続相を形成しているから使用中に水が揮散し、そのためにシート状パック剤が体積収縮を起生し、かかる収縮によって皮膚を刺激するからすぐれた美容効果が得られるという特徴を有するものである。」（公報第２頁右上欄第７〜12行）
（ウ−３）「本発明を実施する当って用いられるポリアクリル酸及び／又はポリアクリル酸塩は、平均重合度が100〜100000の範囲にあるのが望ましく、またポリアクリル酸塩の塩類としては、ナトリウム塩、カリウム塩、アンモニウム塩、トリエタノールアミン塩などが挙げられる。含水ゲル中のポリアクリル酸及び／又はポリアクリル酸塩の濃度は、約１〜80重量％が好ましいものである。」（公報第２頁右上欄第17行〜左下欄第４行）
（ウ−４）「本発明のシート状パック剤は、保存時および使用時などにおける取り扱い性という点からみて、布、不織布、フィルムなどの透湿且つ可撓性の支持体上にパック剤層（厚さ50〜2000μm）を設け、このパック剤層の表面を更に剥離性のフィルムもしくは紙で被覆するという形態に構成し、使用時には剥離性フィルムなどを剥離して露出したパック剤層を顔面などに粘着するようにしておけば便利である。」（公報第３頁左上欄第４〜12行）
　
(3)対比・判断
　ア．本件発明１について
　本件発明１と引用発明を対比すると、後者の「澱粉等の親水性糊料」は前者の「水和性の重合体ゲル」に相当し、後者の「繊維を紙状に絡ましてなる薄い不織布」は前者の「薄いフィルム用の補強を構成するたわみ性の繊維」に相当し、後者の「不織布の間隙に分散された乾燥状態の澱粉等の親水性の糊料」は前者の「繊維内に乾燥状態で捕捉された重合体ゲル」に相当し、後者の「パック材」は前者の「シート材料」に相当するものと認められる。
　また、通常澱粉等の親水性糊料は濡らすと水和するから、後者の「乾燥したパック材を、濡らして顔面に、或いは濡らした顔面に密着させる段階」は前者の「湿らせた皮膚上に乾燥した状態で又は皮膚上に湿らせた状態で、処理しようとする皮膚領域にあてがい重合体ゲルを水和する段階」に相当し、後者における「張りつけるように」乾燥することは、実質的に接着部を形成することであるから、後者の「澱粉等の親水性糊料等を皮膚表面に張りつけるように、前記澱粉等の糊料を乾燥させ、一定時間放置する段階」は前者の「前記水和性のゲルと前記皮膚領域との間に接着部を形成するように、前記水和性のゲルを乾燥させ、前記皮膚領域に接着させるのに充分な時間にわたって、前記シート材料を前記皮膚領域上に維持する段階」に相当し、通常パック材を剥がすときは、全部を一体的に剥がすから、後者の「前記パック材を剥がし、このパック材料を剥がすときに、汚れを皮膚表面から除去する段階」は前者の「前記シート材料を全部を一体に引き離し除去し、このシート材料の除去のときに、前記不潔な物を前記皮膚領域から除去する段階」に相当するものと認められる。
　したがって、両者は、「水和性の重合体ゲルから成る薄いフィルム用の補強を構成するたわみ性の繊維であって、前記繊維内に乾燥状態で捕捉された前記重合体ゲルの繊維から成るシート材料によって皮膚から不潔な物を除去する方法において、
（イ）前記シート材料を、湿らせた皮膚上に乾燥した状態で又は皮膚上に湿らせた状態で、処理しようとする皮膚領域に当てがい前記重合体ゲルを水和する段階と、
（ロ）前記水和性の重合体ゲルと前記皮膚領域との間に接着部を形成するように、前記水和性の重合体ゲルを乾燥させ、前記皮膚領域に接着させるのに充分な時間にわたって、前記シート材料を前記皮膚領域上に維持する段階と、
（ハ）前記シート材料を全部を一体に引き離し除去し、このシート材料の除去のときに、前記不潔な物を前記皮膚領域から除去する段階と、
を包含する除去方法」の点で一致しており、以下の点で相違する。
（相違点１）
  繊維について、前者は、「網であって、貫通する目孔を配置した網状構造で作られ、この網の前記貫通する目孔内に」重合体ゲルを捕捉したのに対し、後者は、不織布等の間隙に糊料が捕捉されている点。
（相違点２）
  繊維に捕捉した重合体ゲルの平均厚さを、前者は、「５ないし1000μm」としたのに対し、後者は、不明である点。
　上記相違点について検討する。
　上記相違点１について、本件発明１の「網」の技術的意義につき、特許明細書の記載を参酌すると、その段落【0012】に「網は・・・目を持つ織布又は不織布から構成してある。・・・織布の網を使うのが好適である。」と記載されており、また、刊行物４には、シート状パック材について、布などの透湿且つ可撓性の支持体上にパック剤層を設ける等の記載があるから、実質的に「網であって、貫通する目孔を配置した網状構造で作られ、この網の前記貫通する目孔内」を有することが記載されているといえる。
　してみると、引用発明における不織布等の間隙に糊料が捕捉されているものについて、刊行物４に示された「網であって、貫通する目孔を配置した網状構造で作られ、この網の前記貫通する目孔内」を適用して、相違点１の本願発明の構成とすることは当業者が容易になし得たことといえる。
　上記相違点２について、パック剤における重合体ゲルの平均厚さを「５ないし1000μm」とすることは、従来周知の技術（刊行物２、４参照。）であり、上記周知の技術を引用発明に適用することは当業者にとって容易に想到できたものである。
　そして、本件発明１の作用効果も、引用発明及び刊行物２、４から予測できる程度のものと認められる。
　
　イ．本件発明２について
　本件発明２は、本件発明１に「シート材料を、乾燥した状態で湿らせた皮膚にあてがう」点を追加して限定するものであるが、かかる点は、刊行物１に併せて記載されているから、本件発明２は、刊行物１及び刊行物２、４に基いて当業者が容易に想到できたものである。
　
　ウ．本件発明３について
　本件発明３は、本件発明１または２に「シート材料を、5minないし10minの範囲の時間にわたって皮膚にあてがう」点を追加して限定するものであるが、かかる点は、引用発明における「一定時間放置後」の時間範囲として、当業者であれば通常想定する範囲のものと認められるから、本件発明３は、引用発明及び刊行物２、４に基いて当業者が容易に想到できたものである。
　
　エ．本件発明４について
　本件発明４は、本件発明１に対して、「皮膚の孔の清掃を行なうシート材料の使用法」等の清掃箇所に関する記載を追加したものであるが、顔面に対して接着剤をあてがいハク離すると、孔中の不潔な物が共に除去され得ることは自明な事項であるので、本件発明１と実質上差異がないから、本件発明４は、引用発明及び刊行物２、４に基いて当業者が容易に想到できたものである。
　
〔４〕むすび
　以上のとおりであるから、本件発明１〜４は、刊行物１、２及び４に基いて当業者が容易に発明をすることができたものであるから、本件発明１〜４についての特許は、拒絶の査定をしなければならない特許出願に対してされたものと認める。
　よって、特許法等の一部を改正する法律（平成６年法律第116号）附則第14条の規定に基づく、特許法等の一部を改正する法律の施行に伴う経過措置を定める政令（平成７年政令第205号）第４条第２項の規定により、結論のとおり決定する。
【異議決定日】
平成１６年１１月１９日（２００４．１１．１９）
【訂正の要旨】
審決（決定）の【理由】欄参照。
（５４）【発明の名称】
皮膚から不潔な物を除去する除去方法
（５７）【特許請求の範囲】
　【請求項１】水和性の
重合体
貫通する目孔を配置した網状構造で作られ、
の前記貫通する目孔内に乾燥状態で捕捉された前記重合体
（イ）前記シート材料を、湿らせた皮膚上に乾燥した状態で又は皮膚上に湿らせた状態で、処理しようとする皮膚領域に当てがい前記
重合体
（ロ）前記水和性の
重合体
重合体
（ハ）前記シート材料を
全部を一体に
除去し
を包含する除去方法。
　【請求項２】前記シート材料を、乾燥した状態で湿らせた皮膚にあてがう請求項１の除去方法。
　【請求項３】前記シート材料を、５ｍｉｎないし１０ｍｉｎの範囲の時間にわたって皮膚にあてがう請求項１または２の方法。
　【請求項４】水和性の
重合体
貫通する目孔を配置した網状構造で作られ、
の前記貫通する目孔内に乾燥状態で捕捉された前記重合体
（イ）前記シート材料を、湿らせた皮膚上に乾燥した状態で又は皮膚上に湿らせた状態で、処理しようとする皮膚領域に当てがい前記
重合体
（ロ）前記水和性の
重合体
重合体
（ハ）前記シート材料を
全部を一体に
除去し
を包含するシート材料の使用法。
【発明の詳細な説明】
　【０００１】
　【産業上の利用分野】本発明は、複合シート材料によって皮膚から不潔な物を除去する除去方法に関する。
　【０００２】
　【発明の背景】本発明に使用する材料は、その構造特性、その組成及びその形状に従って、顔又は顔の一部分（目、頬、顎の周囲）の手入れを行い、とくに表皮の角質層を除くことにより皮膚の深い清掃を行い、皮膚を固くし、皮膚を軟化させ又は皮膚に特定の処理を行うようにしたマスクを構成する。本発明に使用する材料は又、バストを固くし有用な要素又は局部用のしわ防止パッチを構成する。頭皮に当てがうと、本発明材料はたとえば毛髪調整処理と毛髪のセッティングとに使うことができる。
　【０００３】化粧業界では『美容マスク』製品はよく知られている。これ等の製品はとくに、洗浄又は清掃することにより又は引きはがすことにより除去されるフイルムを生成するように、顔面に施した後乾燥するゲル又はペーストの形で提供される。乾燥時限中に角質層すなわち表皮角質細胞層は湿めりを帯びしなやかになり、皮膚がわずかに収縮する。乾燥後に血液の流れは温度の上昇によって加速される。さらにマスクは吸収効果を持ち、マスクを除いたときに、マスクによりこのようにして、とくに表皮の角質層のはがれるのと同時に皮膚の深い清掃が確実にできる。欧州特許願第０　０６３　８７５号明細書には、顔の形状に適当に切断され顔に当てがったときに移すようにした液体化粧品用の担体として作用するシートから成る顔面用マスクについて記載してある。
　【０００４】仏国特許願第２　５１２　６５１号及び同第２　５３８　２４７号の各明細書には又、材料内又はその各空洞内に化粧品又は薬品を含むしわ防止パッチについて記載してある。この場合にも処理製品は皮膚に直接当てがう。
　【０００５】オーストリア国特許第２０６　１１４号明細書には、顔の解剖学的構造に対応する形状を持ち、ゲル（ポリビニルアルコール）を含浸され植物性抽出物又はビタミン類或いはこれ等の両方を含むペースト層で覆った絹布から成る美容マスクについて記載してある。このマスクは、２層から成り従って厚くて使用の直前にふたたび湿らせなければならない。
　【０００６】
　【発明の要約】本発明によれば、前記したゲル、ペースト及びシートとは異なって顔を湿らせた後顔に乾燥状態で当てがうことができ全く容易に引き離すことができ、そして全部の場合にゲル及びペーストによるのと同様に角質層を脱落させることにより皮膚の孔の有効な清掃ができるから、極めて使用しやすい新規なマスクに係わる。さらに本発明によるマスクは、皮膚に移すことにより補助的処理を行うことができる活性質をゲル層内に含む。
　【０００７】本発明に使用するマスクは、水和性ゲルを薄いフイルム状に網目内に捕捉する網を備えている。このゲルは、皮膚の表面を湿らせることにより帯びる水を吸収する性質があるので使用される。この網は、そのわずかに剛性を持つ乾燥した状態で出発して、少なくとも部分的に水和され柔軟になる。次いでこの網はその自然のたわみ性を回復し、体の全部の凹凸部（目の凹み、しわの凹み）に合致するようになる。次いで網は皮膚の正常な温度の影響のもとに乾燥する。この網はなお皮膚に付着している間にふたたびこの乾燥状態になる。乾燥したゲルはつねに網に固着するから、この複合体（網／ゲル）は全部を一体にはずすことができる。この場合ゲルは死んだ表皮を引きはがす。ゲルだけから成る薄いフイルムを補強網と一緒に使うことは現在まで知られていないことである。さらにこのゲルフイルムはつねに皮膚に湿った状態で当てがわれた。
　【０００８】さらに少なくとも１種類の処理剤をゲルの水和時に遊離して皮膚に接触させるのに、ゲルの担体機能を利用するのが有利である。
　【０００９】さらに処理しようとする体部分の寸法に切断した本発明に使用する含浸網は、液状又は蒸気状態で水に対し不透過性の接着剤被覆を持つシートの接着剤側で体に当てがい、このように皮膚に接着したときにパッチ、マスク又はなお一般的には吸収要素を生成するようにシートの周辺では接着剤フイルムがシートの周辺では網により覆われないままに残してある。この場合皮膚に初めに付着した水はゲルに水和しこのゲルが場合により含む処理剤を溶解し、このときから処理剤は解放され皮膚に作用する。発汗による水分は、不透過性シートが存在するのでマスクを通過しないで、皮膚の表面に凝縮すると活物質を溶解するのに役立つ。発汗は毛孔を開く効果を持ち活物質の浸透を促進する。従って皮膚通過現象が活発になる。１変形として担体シートが時間の経過に伴い幾分透過性を持つと部分的な吸収だけしかできない。
　【００１０】従って本発明は水和性のゲルから成る薄いフイルム用の補強を構成するたわみ性の網を使用して皮膚から不潔な物を除去する方法に係わる。
　【００１１】網は疎水性材料すなわち非吸収性材料から作るのがよい。ポリアミドのような合成材料は、木綿が確かに良好な状態で使うことができるが、木綿に優先して選定するのが有利である。又網は透明な材料から作るのがよい。その理由は、たとえば透明なフイルムを経て処理中に色の変化を観察することにより当てがい終ったときが場合により分るからである。さらに透明なマスクは美的で快適である。又高温で殺菌することのできる材料から作った網を使うのがよい。ポリアミド製の網を使うのがとくに適当である。このような網は比較的少量のゲルを付着させ、網目スクリーンの厚さと網により形成された間隙とによって極めて良好な制御ができる。
　【００１２】網は、厚さが０．０１ないし２ｍｍで１ｃｍ当たり約２ないし１００個の目を持つ織布又は不織布から構成してある。この場合とくに網の目孔の表面積と全表面積との比率は５ないし８０％である。織布の網を使うのが好適である。その理由は、不織布は、貯蔵中に又は当てがうときの再水和時に微生物の繁殖を促進する固着剤を含むことが多いからである。さらに織布は不織布よりも体の種種の形状に一層よく合致する。
　【００１３】又一方向だけにしか伸長できない網を使うのがよい。この選定の理由は、本発明部品の製法に関連するからである。後述のように工業的製法では網は容易にリールに巻付けリールから巻きほぐすことができなければならない。２方向に伸長できる網は巻付けの間に伸長する。
　【００１４】ゲルは、０．５ないし５０重量％の乾燥抽出物を持つ水溶性又は水膨潤性の重合体により構成するのが有利である。このために使うことのできる重合体は、ポリビニルアルコール、架橋結合のカルボキシメチルセルロースのアルカリ金属塩、ポリアクリル酸のアルカリ金属塩、架橋結合ポリアルキレンオキシド、グフトアクリロニトリルセルロース又はカルボキシル基を含むアクリロニトリル澱粉重合体、トラガカントゴム、アラビアゴム、グアルゴム及びその誘導体、アルギネート、キサンタンゴム、その他のセルロース誘導体、アルブミン、ゼラチン、ガラクトマンナン及びポリアクリルアミドから成る群から選ぶのが有利である。ゲルを網目内に封じ込めた網では極めて薄いゲルを使うことができる。このような薄いゲルは、網の補強がないと取扱うのに充分なだけ強くはないシートを作る。極めて薄いゲルはマスク（又は類似物）を当てがうときに必要であり、ゲル従って網／ゲルの組合せが迅速に柔軟になるようにマスクは湿った処理部分の水分を迅速に吸収することができ、従ってマスク（又は類似物）は処理する顔又は体の部分の正弦波形であることの多い形状に合致することができ、最終的にふたたび吸収された水の迅速な蒸発が起り、マスクが吸収性を持たない場合にゲルをふたたび乾燥するようにする。５ないし１０００μｍの平均厚さを持つゲルの層をくっつけた網によって構成されるマスクの利点は、人体の湿らせた部分に、マスクを乾燥状態で当てがうことができ、この湿らせた部分に付けられた水分をマスクが充分にかつ急速に吸収でき、マスクをこの湿らせた部分から一部片としてはずすことができることである。そしてゲルの層の厚さが１０００μｍより厚くなるときは、マスクはボール紙のようになり、人体の湿らせた部分に当てがうことはできないし、またゲル層の厚さが、５μｍより薄くなるときは、乾燥後にマスクを引きはずすときにマスクが裂ける。
　【００１５】さらにゲルは、とくに次の物質すなわち水溶性活物質、粘土、カオリン、シリカ、乳化油、給湿剤、薄くする物質、しわ防止剤、刺激剤、回復剤、固くする物質及び軟化剤、パウダー等のうちから選んだとくに化粧用の少なくとも１種類の活性処理物質を含むのが有利である。この場合網のゲルの平均厚さは薄くすることがとくに大切である。実際上ゲル層の厚さが過度に厚いときはこの層を適当に湿らせることは極めてむずかしい。マスクが充分な柔軟性を持っていても、ふたたび水和されていない層は水を吸収して活物質が体の処理する部分に接触したままになるのを妨げる。
　【００１６】マスクが少なくとも２種類の活物質を含むときは、これ等の活物質は網の互いに異なる場所に位置させることができる。活物質が相溶性を持たないときにこのようにすると有利である。この場合皮膚に当てがわれるゲル表面は、たとえば栓を設けたびんを使い乾燥ゲル中に含まれる物質に対し相溶性を持たない活物質を含む水溶液又は水性アルコール溶液により当てがう直前に湿らせることができる。
　【００１７】本発明に使用する材料は、処理しようとする体部分の形状に適合した切断形状を持つのを有利とする物品を作るのに使う。
　【００１８】とくに顔の処理用のマスクの場合にはこのマスクを２部分に作るようにすることができる。一方の部分は、ひたいに対応し、このひたいの下縁部に沿ってまゆげの弧の輪郭に追従する２つの湾曲した切断部の間に、そして鼻の皮膚を覆うようにした垂片に沿って延びている。他方の部分は目の下方に位置する顔領域に対応し、それぞれ口及び鼻に対応する２つの穴を形成してある。このマスク部分の上縁部は各目の下側の線に追従するようにした２つの切断部を備えている。これ等のツーピースマスクは互いに異なる顔形状に合うようにうまく調整することができる。
　【００１９】顔を処理するようにしたマスクの他の実施例によればこのマスクは、顔の形及び寸法に合わせて切断した単一ピースから成っている。このピースは、それぞれ各目及び口に対応する穴と共に、鼻の中間及び下部の領域に対応し鼻を覆うようにした垂片を切断した切断部とを備えている。中央の切れ目は口に対応する穴と前記切断部とを連結し、又このピースの各側縁部に沿い横方向の切れ目を作ってある。
　【００２０】さらに本発明に使用するシート材料よれば、ほぼ環の半分の形状を持つ切欠きを備えバストを固くする要素を設けることができる。
　【００２１】本発明に使用する含浸した網はその表面の一方を引きはがし自在の保護支持シートにより支えることができ、場合により他方の側を別の脱着自在な保護シートにより保護することができる。全体が又は一部が吸収性を持つマスクの場合には体の処理しようとする部分に対応する寸法に切断したゲル含浸網はその両側の一方に接着剤層を塗布した支持シート（透過性を持たないか又はこのマスクが部分的に吸収性を持つ場合は部分的透過性を持つ）の接着剤側に配置する。このシートはゲル含浸網をその全周にわたり越えて延びている。引きはがし自在な薄膜板は使用に先だって少なくとも接着剤部分を保護する。それぞれ互いに異なる活物質を含む複数の含浸網要素を同じ支持シートに各別に配置してある。
　【００２２】さらに本発明に使用するシート材料よるマスクは吸収性があってもなくても、支持シート部分が限定した表面積を持っているので一部分が又は全体が不透過性である少なくとも１個所のゲル含浸網区域を設けることができる。
　【００２３】本発明に使用するシート材料は、ゲルに又は適宜にはゲル中の連続処理用の１種類又は複数種類の物質或はこれ等のゲル及び物質に対し場合により相溶性を持たない少なくとも１種類の処理物質を飽和させた海綿状材料を含ませることができる。
　【００２４】本発明に使用するシート材料を製造するには、たわみ性の網を構成するプライを後の乾燥工程における水和ゲルの加熱の温度に耐えることのできる支持シートに乗せ、液体の又は押出しできる状態にあって適宜には少なくとも１種類の活性処理物質を含む水和ゲルから成る薄いフィルムを前記のようにして支えたプライ上に配置しこのプライを構成する前記網の各目孔に前記の水和ゲルを満たすようにし、この水和ゲルを所望の脱水度が得られるまで乾燥する。
　【００２５】次いでこのようにして作った材料から成る物品を作るには、この材料を適当に切断し所要の用途に応じパッケージにする。
　【００２６】水和ゲルの塗布にはカレンダ掛け又は押出しにより実施することができる。
　【００２７】各網目内に封じ込めた水和ゲルの乾燥は、カレンダ掛けにより、又は網を赤外線トンネル内を通過させ又は網に高温空気を吹付けることにより行うことができる。カレンダ掛けを行う場合には支持された網に保護薄膜板を当てがう。
　【００２８】本発明は又、皮膚化粧処理又は毛髪調整に前記した材料を使用することに係わる。この場合体の処理しようとする部分又は頭皮を湿らせた後、少なくとも部分的吸収処理を行う場合に水和ゲルを含浸した網をその支持シートと一緒に当てがう。この操作では湿った領域との接触によりふたたび水和したゲルを確実に乾燥するのに十分な時間にわたり当てがい続ける。そして網は全体を単一体にして引きはがすことにより取りのぞく。
　【００２９】
　【実施例】本発明に使用するゲル含浸網の製法と共にこの含浸網から作った物品の複数の例を添付図面について以下に説明する。
　【００３０】図１には図２Ａ及び図２Ｂに示すような本発明に使用する複合材料を作るのに必要な装置を線図的に示してある。この材料は３つの重ね合わせた層から成っている。すなわちこれ等の層は、ポリエステル、ポリエチレン又はシリコーン被覆紙から成り、皮膚に当てがおうとするゲル表面をつや出しすることができ良好な耐温度性を持つ支持シート（１）と、少なくとも部分的に脱水したゲル（４）を各網目に封じ込めたポリアミド製の網（３）により形成したプライから成る材料（２）と、上部保護シート（５）とから成っている。リール（６）に巻付けたポリエステルシート（１）は、リール（６）から巻きほぐし水平に移動するようにする。網（３）を構成するプライを次いで巻ほぐされたシート（１）に当てがう。網（３）はリール（７）から巻きほぐされ、シート（１）の直上に配置した円筒体（８）の下側を通りシート（１）に網（３）を当てがうようにする。
　【００３１】円筒体（８）の下流側でホッパ（９）内に入れた流体状態の水和ゲル（４ａ）は、シート（１）に乗り移動する網（３）に施される。ホッパ（９）はその下縁部に細長い窓を持つ。この窓により水和ゲル（４ａ）は、施しドラム（１０）上に落下するカーテンの形に排出する。調整自在な距離に設けた第２のドラム（１０ａ）は水和ゲル（４ａ）を広げるように作用する。各ドラム（１０）、（１０ａ）は支持体上のプライの前進運動の方向に直交する軸線を持つ。ドラム（１０）は、ゲル（４ａ）の薄いフィルムを当てがうように網（３）上で転動する。施しドラム（１０）の下流側で、ポリエステルから成りリール（１１）から巻きほぐれる第２のシート（５）をローラ（１２）によって、ゲルを満たした網（３）に当てがう。
　【００３２】このようにして形成した複合材料は、初めに第１の加熱したカレンダローラ（１３）上を次いで第２のカレンダローラ（１４）の下側を通る。外側のシート（１）、（５）は、網が各ローラ（１３）、（１４）の間を上下方向に進むときにこの網の脱水中にゲルを保護する作用をする。
　【００３３】各ドラム（１０）、（１０ａ）の間隔に従ってゲルは或は広く或は狭く広げられる。このようにして、ゲルを或は多く或は少なく満たした図２Ａ及び図２Ｂに示すような網（３）が得られる。図２Ｂは網がゲル中に完全に埋込まれた場合を示す。ゲルの量の選択は特定の所期の用途による。
　【００３４】製造後に各シート（１）、（５）は所望により取りのぞく。マスクを切断した後このマスクのパッケージ化のためにシート（１）を残すのがよい。
　【００３５】種種の用途に対し、得られた材料は次いで切断する。図３、図４及び図５はこの材料を切断する種種の方式を示す。
　【００３６】図３には２部分に作った顔用マスクを示してある。上部部分（１５）は、ひたいに合致するようにした環の形の主帯状態（１５ａ）から成っている。上部部分（１５）は、その下縁部に沿い、鼻を覆うようにした舌状片（１５ｂ）が中間領域に延びている。自由端部に向かい広がる舌状片（１５ｂ）は、すなわち、まゆげの弧の形に合致する２つの湾曲切断部（１５ｃ）、（１５ｃ）間に位置する。残りの部分（１６）は、各目の中央線の下方に位置する領域で顔を覆うようにしてある。このために部分（１６）は、顔の卵形に合致するように下部部分が丸くした形状を持つ。上縁部は各目の下部線に追従するようにした２つの湾曲切断部（１６ａ）、（１６ａ）を備えている。又鼻及び口が貫通するようにそれぞれ２つの穴（１６ｂ）、（１６ｃ）を形成してある。顔の球面形を考慮してこのマスクは２部分に作ってある。さらにこのマスクは顔の構成に従って高さを調整できる利点がある。
　【００３７】図４に示したようなマスクを選定する。この場合マスクは単一ピースに作られ、目に対する２個の穴（１７ａ）、（１７ｂ）と口に対する１個の穴（１７ｂ）とを形成してある。穴（１７ｂ）の上方に湾曲した切断部（１７ｃ）を形成してある。切断部（１７ｃ）及び穴（１７ｂ）は、マスクを当てがいやすくするように切れ目（１７ｅ）により接合してある。同様に、顔の球面形を考慮し、マスクを一層よく調整して当てがえるように各側縁部に少なくとも１つの切れ目（１７ｆ）を形成してある。
　【００３８】ゲル（４）は、これに混合されその全体にわたり均等に分布した活物質を含んでいる。それぞれ異なる活物質を含む互いに異なるゲルを同じ網にその互いに異なる場所にたとえば互いに平行な線状又は帯状に施してもよい。
　【００３９】次に本発明に使用する材料（２）を以下にさらに詳しく述べる。網（３）は、１ｃｍ当たり８５の目孔を含み直径１５０μｍのポリアミド糸で作った網状布である。網（３）には、１０ないし３０重量％の乾燥抽出物を含みドラムにより広げたポリビニルアルコールを加え乾燥抽出物の９８重量％まで乾燥する。材料（２）は乾燥後に０．０３ｇ／ｃｍ２のゲルを含む。
　【００４０】前記したマスクが顔に作用する全く新規な独創的方式を次に述べる。先ず使用者は支持シート（１）からマスク自体すなわち材料（２）を引き離す。次いで使用者は、たとえばスポンジを使い前もって湿らせた自分の顔に材料（２）を当てがう。
　【００４１】マスクはこれを当てがうとそのこわさが失われる。その理由は、湿った皮膚に接触してゲルがふたたび水和されるからである。これ等の条件のもとで網は、その柔軟なたわみやすい性質を回復しすぐ変形しやすくなり、この網は顔の全部の凹凸に合致させることができる。
　【００４２】このようにし網は初めに湿気を帯びて接触し次いで乾燥した固着状態で皮膚に付着する。約５ないし１０ｍｉｎ以内で、皮膚を湿らせた水分でふたたび水和されたゲルは、皮膚の特定の温度に従って空気中で乾燥する。網になお封じ込められているゲルはこのようにして一体にして取りのぞくことができる。ゲルは普通の場合と同様に皮膚からはがされる。
　【００４３】ゲルが、処理作用、薄くする作用、しわ防止性又は水和性を持つ少なくとも１種類の物質を含むときは、このゲルは、ゲル及び皮膚の間に結合作用が生じた瞬間からこの物質の担体として作用する。この場合マスクは、皮膚内処理のために終夜にわたり装着することが望ましい。使用ゲルは、皮膚に対し十分な相溶性を持ち無害である。ゲルに対し場合により相溶性を持たない活物質とこのゲルが含む活物質とを一緒に施そうとする場合には、これ等の活物質は皮膚を湿らせる水と一緒に施される。
この場合たとえば栓を設けたびんを使用して、乾燥ゲル中に含まれる活性物質に対し相溶性を持たない活性物質を含む水溶液又は水和アルコール溶液によって、皮膚に施されるゲルの表面の適宜に迅速な供湿ができる。
　【００４４】図５はバストを固くするのに使うことのできる物品を示す。この物品は半環状の形状を持つ。この物品が当てがわれ機能する方式は前記したのと同じである。
　【００４５】図６は別の材料（２）を示す。この材料（２）はたとえばしわ防止剤を含むゲルを含んでいる。材料（２）は、所望の形状に切断され〔簡略化のために図６にはパッチ（１９）を示してある〕、液体状又は蒸気の状態の水に対し不透過性の支持シート（２０）の一方の表面を覆う接着フィルム（２０ａ）に当てがい、シート（２０）の周辺に接着領域を自由に残すようにしてある。この接着領域は、引きはがし自在のシート（２１）たとえばシリコーン被覆シートによりパッケージ化するように保護してある。
　【００４６】使用に当たってパッチ（１９）はその支持シート（２０）を当てがう。位置決め接着剤（２０ａ）により周辺部に吸収作用を生ずる。皮膚に付着した水分によりゲルがふたたび水和され、場合により活物質を釈放する。どの場合にもシート（２０）が不透過性であるから発汗による水分は蒸発しない。この水分は活物質をふたたび希釈するのに使われ次いで毛孔内に一層よく浸透する。これ等の毛孔は吸収作用によってますます開く。この吸収作用は、シート（２０）を作るのに選定した材料に全く又は部分的に依存する。
　【００４７】図７は図６の材料の変型を示す。この場合パッチ（１９）の代りに２つのピース（１９ａ）、（１９ｂ）を使う。ピース（１９ａ）、（１９ｂ）では脱水したゲルは場合により相互に相溶性を持たない互いに異なる活物質を含む。各ピース（１９ａ）、（１９ｂ）は、実質的に半円形の板の形状を持ち支持シート（２０）上で或る間隔だけ相互に隔離してある。作用方式は図６の物品の場合と同じである。活物質は、その釈放時を除いて相互に接触するようにはならない。
　【００４８】以上本発明をその実施例について詳細に説明したが本発明はなおその精神を逸脱しないで種種の変化変型を行うことができるのはもちろんである。
【図面の簡単な説明】
　【図１】本発明に使用するシート材料の製造装置を示す線図的配置図である。
　【図２Ａ】図１に示した製造装置により得られ、所定の量のゲルを施した複合材料の拡大横断面図である。
　【図２Ｂ】図２Ａに示す複合材料とはゲルの量が異なる複合材料の拡大横断面図である。
　【図３】本発明に使用する複合材料から切断した２つのピースに作った顔用マスクの平面図である。
　【図４】本発明に使用するシート材料から単一のピースに作った顔用のマスクの平面図である。
　【図５】バストを固くするための物品の平面図である。
　【図６】本発明に使用するシート材料による吸収パッチの平面図である。
　【図７】図６のパッチの変型の平面図である。
　【符号の説明】
　２　シート材料
　３　たわみ性の網
　４　水和性のゲル